(57)【要約】      （修正有）【課題】強靱で粗さを有するクリーニングクロスの提供。【解決手段】複数の弾性ナイロン繊維からなるナイロン繊維糸（１１）をコームロールで引っ張り伸長させて繊維を解き、ニッティングマシンで連続数の表目（１２）に所定数の裏目（１３）を組合せ、数列連続した後、少なくとも一列の表目（１２）を組合せ、この重複により凹凸の編成模様を形成し、一方で波状の粗面化した立体編成構造を形成してなることを特徴とする。【選択図】図４
0003114061.tif 000002
【実用新案登録請求の範囲】
【請求項１】
複数の弾性ナイロン繊維からなるナイロン繊維糸（１１）をコームロールで引っ張り伸長させて繊維を解き、ニッティングマシンで連続数の表目（１２）に所定数の裏目（１３）を組合せ、数列連続した後、少なくとも一列の表目（１２）を組合せ、この重複により凹凸の編成模様を形成し、一方で波状の粗面化した立体編成構造を形成してなることを特徴とする、クリーニングクロス。
【請求項２】
請求項１記載のクリーニングクロスにおいて、横方向の二つの表目（１２）に二つの裏目（１３）を組合せて、３列連続した後、一列の表目で間隔を開け、更に重複して二つの表目（１２）に二つの裏目（１３）を組合せ３列連続する循環編成方式で１片を構成し、更に二つに折り曲げて立体編成構造を外表面に具備させて周辺を縫製して一塊となしたことを特徴とする、クリーニングクロス。
【考案の詳細な説明】
【技術分野】
【０００１】
本考案は台所用具のクリーニングクロスに関係し、特にナイロン繊維を編成してなり表面に凹凸の波状編成構造を有し、繊維が開き、強靱で粗さを有するクリーニングクロスに関する。
【背景技術】
【０００２】
伝統的な台所用のクリーニングクロスは、図１に示されるように、多層の硬質のガラス繊維を高圧で圧着させて適当な厚さとしてなり、湿らせて洗剤を付けて食器や調理器具の擦り洗いに用いられる。しかし使用時には相当な硬度があり、弾性がなく繊維が硬く泡が立ちにくく、このため使用者は相当に多くの洗剤を使用しなければ泡で食器等を洗うことができず、相当な浪費を形成し、また大量の水ですすがなければ、残留した洗剤が飲食時に人体に進入する。また、このような伝統的なガラス繊維製のクリーニングクロスは高級なステンレス製の鍋を傷つけやすく、陶磁器の表面の光沢を失わせる。更に、ある期間使用すると軟化し、その粗さが徐々に消失し、鍋や食器に付着した食品の残りを削ぎ取る効果が失われ、やがてはクリーニングクロスの繊維が脱落し、それが食品中に混入して共に調理されてしまうことがあり、不衛生である。
【０００３】
市場には図２に示されるようなスポンジ製のクリーニングクロスもあるが、スポンジは相当に柔軟性があり洗剤を泡立てやすく、高級な陶器や鍋の表面を研磨することがないが、スポンジは引っ張りに弱く且つ吸水により細菌を繁殖させやすい。特にその粗さが不十分で、鍋や食器に付着した食品の残りを削ぎ取るのが容易でなく、また泡を完全に洗い流しにくく、使用には適していない。
【考案の開示】
【考案が解決しようとする課題】
【０００４】
本考案の主要な目的は、一種のクリーニングクロスを提供することにあり、それは、複数の、コームロールで解かれた弾性ナイロン繊維糸を、編成して表面に凹凸模様を有する粗面を形成し、それ自身の有する柔軟な弾性により、速やかな洗剤の泡立てと増泡の効果を有するものとし、洗剤の使用量を減らすことができる、クリーニングクロスであるものとする。
【０００５】
本考案の別の目的は、一種のクリーニングクロスを提供することにあり、それは、表面の凹凸のある立体編成構造により、食器の食品の残りを削ぎ落としやすく、また、クリーニングクロス自身の材質が十分に強靱で吸水しにくく、破損しにくく使用寿命が長く、繊維が脱落して食品中に混入することがないものとする。
【課題を解決するための手段】
【０００６】
請求項１の考案は、複数の弾性ナイロン繊維からなるナイロン繊維糸（１１）をコームロールで引っ張り伸長させて繊維を解き、ニッティングマシンで連続数の表目（１２）に所定数の裏目（１３）を組合せ、数列連続した後、少なくとも一列の表目（１２）を組合せ、この重複により凹凸の編成模様を形成し、一方で波状の粗面化した立体編成構造を形成してなることを特徴とする、クリーニングクロスとしている。
請求項２の考案は、請求項１記載のクリーニングクロスにおいて、横方向の二つの表目（１２）に二つの裏目（１３）を組合せて、３列連続した後、一列の表目で間隔を開け、更に重複して二つの表目（１２）に二つの裏目（１３）を組合せ３列連続する循環編成方式で１片を構成し、更に二つに折り曲げて立体編成構造を外表面に具備させて周辺を縫製して一塊となしたことを特徴とする、クリーニングクロスとしている。
【考案の効果】
【０００７】
本考案のクリーニングクロスは、複数の、コームロールで解かれた弾性ナイロン繊維糸を、編成して表面に凹凸模様を有する粗面を形成し、それ自身の有する柔軟な弾性により、速やかな洗剤の泡立てと増泡の効果を有するものとし、洗剤の使用量を減らすことができる。また、本考案のクリーニングクロスは、表面の凹凸のある立体編成構造により、食器の食品の残りを削ぎ落としやすく、また、クリーニングクロス自身の材質が十分に強靱で吸水しにくく、破損しにくく使用寿命が長く、繊維が脱落して食品中に混入することがない。
【考案を実施するための最良の形態】
【０００８】
図３に示されるように、本考案のクリーニングクロス１０は、複数の弾性ナイロン繊維からなる弾性ナイロン繊維糸１１が、コームロールで引っ張られて解かれた状態とされ、更にニッティングマシンで、横方向に二つの表目１２に二つの裏目１３が組み合わされる方法により、連続して３列編成された後、一列の表目１２で間隔が開けられ、更に重複して二つの表目１２に二つの裏目１３が組み合わされて連続して３列編成され、これは図４、５に示されるようであり、こうして所定の長方形サイズに編成され、その正面にパイナップル表面のような凹凸のある編成模様が形成され、別面に波状の洗い立体編成構造が形成され、更にこの波状の立体編成構造が外表面となるように二つ折りにされて二層とされ、且つその３辺の開口の側辺が縫合されて固定される。
【０００９】
本考案は丸編み機で環状の中空の袋体に形成されることもでき、更にその両端の開口が縫合固着されて二層とされてもよい。また、本考案は横方向に３つの表目１２に三つの裏目１３を組み合わせる方法で、編成模様を更に明らかとすることもでき、その別面の波状の立体編成構造が更に粗いものとされ、その目の数の配列は必要により変更可能であり、全体のクリーニングクロス１０の表面に凹凸の波状模様を形成するものとされ、これが本考案の特徴であり、これによりクリーニングクロス１０が粗面を具えて鍋や食器の食品の残りを削ぎ落とすことができる。
【００１０】
以上の構造は以下のような長所を有している。
１．本考案のクリーニングクロス１０は、複数の弾性ナイロン繊維からなる弾性ナイロン糸をコームロールで加工して解いた状態とし、それ自身が柔軟で靱性を有し、湿らせた後に洗剤を容易に泡立てることができ、泡を増しやすく、ゆえにあまり多くの洗剤を使用しなくとも、多量の洗い物を処理できる。
２．本考案のクリーニングクロス１０は弾性ナイロン繊維糸１１を編成して表面に凹凸の波状の立体編成構造を具えたものとされ、粗い擦拭面を有し、ナイロン繊維の靱性により長期の使用の後に劣化して脆くなり繊維が食品中に混入する情況が発生せず、ナイロン繊維は水を吸収しにくいため、使用後にクリーニングクロス１０を吊り下げておけば自然に水分が排除され、細菌やカビを繁殖させない。
３．本考案のクリーニングクロス１０の表面の粗さは編成の方法により決定し、ボディーシャンプーで身体を洗浄するのに使用する場合は、表目１２と下目１３の数を調整して突出した立体編成構造を目立たなくすることで、粗さの程度が皮膚を傷つけないようにすることができる。もし鍋等の洗浄用とする場合は、鍋の表面の食品の残りを擦り落としやすくするため、表目１２と裏目１３の間隔、数量を調整して凹凸模様を明らかにしてその粗さを増すことができる。本考案は弾性ナイロン繊維糸１１を編成してなり、その表面の凹凸比例を調整することで、高級な陶器の表面のツヤを摩損しないようにすることができ、また金属の鍋を傷つけることもなく、洗浄される食器や調理器具に一定の光沢を保持させることができる。
【図面の簡単な説明】
【００１１】
【図１】周知のクリーニングクロスの立体図である。
【図２】周知の別のスポンジ製のクリーニングクロスの立体図である。
【図３】本考案に使用されるコームロールで処理後の弾性繊維の立体図である。
【図４】本考案の実施例の編成構造表示図である。
【図５】本考案の実施例の編成配置図である。
【符号の説明】
【００１２】
１０  クリーニングクロス
１１  弾性ナイロン繊維
１２  表目
１３  裏目
【図１】
0003114061.tif 000003
【図２】
0003114061.tif 000004
【図３】
0003114061.tif 000005
【図４】
0003114061.tif 000006
【図５】
0003114061.tif 000007